(57)【要約】【課題】イージーオープン缶の開封性を向上させる缶蓋のタブを提供する。【解決手段】蓋体に刻設されたスコアによって縁取られた開口予定領域における開口開始位置近傍にリベット部によって固定される固定部と、開口予定領域内に位置する先端部と、固定部に対して先端部と反対方向に延びる把持部と、を備え、把持部の後部が開口操作時の指掛かり部となる構成の缶蓋のタブにおいて、指掛かり部の側面部に滑り止め機構を設けたことを特徴とする缶蓋のタブを用いる。【選択図】図１
2017214103.tif 000002
【特許請求の範囲】
【請求項１】
蓋体に刻設されたスコアによって縁取られた開口予定領域における開口開始位置近傍にリベット部によって固定される固定部と、
前記開口予定領域内に位置する先端部と、
前記固定部に対して前記先端部と反対方向に延びる把持部と、
を備え、
前記把持部の後部が開口操作時の指掛かり部となる構成の缶蓋のタブにおいて、
前記指掛かり部の側面部に滑り止め機構を設けた
ことを特徴とする缶蓋のタブ。
【請求項２】
前記滑り止め機構が、前記側面部の周方向長さに対して４０％以上形成されている
ことを特徴とする請求項１に記載の缶蓋のタブ。
【請求項３】
前記滑り止め機構が、前記側面部の厚さ方向長さに対して５０％以上形成されている
ことを特徴とする請求項１または２に記載の缶蓋のタブ。
【請求項４】
前記滑り止め機構が、凹凸形状である
ことを特徴とする請求項１ないし３のいずれかに記載の缶蓋のタブ。
【請求項５】
前記凹凸形状の表面粗さは、Ｒａが３．０〜４０μｍ、Ｒｚが１５〜２００μｍであることを特徴とする請求項４に記載の缶蓋のタブ。
【請求項６】
前記滑り止め機構が、樹脂塗膜である
ことを特徴とする請求項１に記載の缶蓋のタブ。
【請求項７】
前記把持部は、貫通孔を有している
ことを特徴とする請求項１に記載の缶蓋のタブ。
【請求項８】
前記滑り止め機構は、前記貫通孔の外周側の前記側面部に設けられる
ことを特徴とする請求項７に記載の缶蓋のタブ。
【請求項９】
前記滑り止め機構は、前記貫通孔の内周側の前記側面部に設けられる
ことを特徴とする請求項７または８に記載の缶蓋のタブ。
【請求項１０】
前記把持部が、指掛かり部を部分的に高くしたチップアップ構造を有する
ことを特徴とする請求項１ないし９のいずれか１項に記載の缶蓋のタブ。
【請求項１１】
前記滑り止め機構が着色されている
ことを特徴とする請求項１ないし１０のいずれか１項に記載の缶蓋のタブ。
【発明の詳細な説明】
【技術分野】
【０００１】
本発明は、缶蓋のタブに関するものであり、特に、指掛かり性を向上させて開封性を向上させた缶蓋のタブに関する。
【背景技術】
【０００２】
従来、タブを指で引き上げて予め蓋体に刻設されたスコアを破断させることで、缶切りを用いずとも開封できるイージーオープン缶の分野で、缶蓋の開封性を向上させるための種々の提案がなされている。例えば特許文献１（特開平１１−１３９４２９号公報）には、缶蓋のタブに合成樹脂や金属製の加工品を付け加えることで、開封性を向上させる技術が開示されている。他にも、缶蓋本体のパネル面のタブの指掛かり部と対応する位置にくぼみ部（ディンプル）を設けたり、タブの指掛かり部の一部を変形させてチップアップ部を設けたりすることで、指掛かり部とパネル面との隙間を広げて指掛かり性を向上させる技術も存在する。
【先行技術文献】
【特許文献】
【０００３】
【特許文献１】特開平１１−１３９４２９号公報
【特許文献２】特開２００３−２７６７３３号公報
【発明の概要】
【発明が解決しようとする課題】
【０００４】
そして、イージーオープン缶を開きやすくする上で、缶蓋のタブに対する指掛かり性を高めることは重要であり、さらなる改良が求められている。本発明は上記に鑑みてなされたものであり、その目的は、イージーオープン缶の開封性を向上させる缶蓋のタブを提供することにある。
【課題を解決するための手段】
【０００５】
本発明は、以下の構成を採用する。すなわち、蓋体に刻設されたスコアによって縁取られた開口予定領域における開口開始位置近傍にリベット部によって固定される固定部と、前記開口予定領域内に位置する先端部と、前記固定部に対して前記先端部と反対方向に延びる把持部と、を備え、前記把持部の後部が開口操作時の指掛かり部となる構成の缶蓋のタブにおいて、前記指掛かり部の側面部に滑り止め機構を設けたことを特徴とする缶蓋のタブである。
【０００６】
この構成によれば、指と指掛かり部との間の摩擦力が増加して、指掛かり性が向上するので、イージーオープン缶の開封性が向上する。
【０００７】
上記の構成中、滑り止め機構として凹凸形状または塗膜を利用できる。タブのサイズや材質に応じた滑り止め機構を利用することにより、目標とする摩擦力を得られる。
【０００８】
上記の構成中、前記把持部は、貫通孔を有していても良い。その場合、滑り止め機構は、前記貫通孔の外周側の前記側面部、または／および前記貫通孔の内周側の前記側面部に設けることができる。これによれば、デザイン上や開封方法における選択肢が広がる。また、内周側のみに滑り止め機構を設けた場合、滑り止め機構の他の物体への接触を防止できる。
【０００９】
上記の構成中、滑り止め機構が着色されていても良い。これによれば、操作者が滑り止
め機構の位置を視認して引き起こし力を調整できるようになる。
【００１０】
また本発明は、上記タブと蓋体を組み合わせた缶蓋や、かかる缶蓋を缶本体と組み合わせた缶としても捉えられる。
【発明の効果】
【００１１】
本発明によれば、イージーオープン缶の開封性を向上させるような缶蓋のタブを提供することができる。
【図面の簡単な説明】
【００１２】
【図１】本発明の缶蓋のタブの実施形態１の平面図であって、（ａ）は缶蓋全体の平面図であり、（ｂ）はタブの把持部の近傍を示す部分拡大平面図である。
【図２】（ａ）は図１（ａ）のＡ−Ａ’線での断面に相当する缶蓋全体の断面図であり、（ｂ）は指掛かり部の近傍を示す部分拡大断面図である。
【図３】本発明の缶蓋のタブの実施形態２における滑り止め機構を示す図であって、（ａ）は指掛かり部の側面部に設けられた凹凸形状による滑り止め機構を示し、（ｂ）は図３（ａ）のＡ−Ａ’線での断面に相当する部分断面図である。
【図４−１】本発明の缶蓋のタブの実施形態２における滑り止め機構の他の具体例を示す図であって、（ａ）は指掛かり部の側面部に設けられた滑り止め機構の例、（ｂ）は図４−１（ａ）のＢ−Ｂ’線での断面に相当する部分断面図である。
【図４−２】本発明の缶蓋のタブの実施形態２における滑り止め機構の他の具体例を示す図であって、（ｃ）は指掛かり部の側面部に設けられた滑り止め機構の例、（ｄ）は図４−２（ｃ）のＣ−Ｃ’線での断面に相当する部分断面図である。
【図４−３】本発明の缶蓋のタブの実施形態２における滑り止め機構の他の具体例を示す図であって、（ｅ）は指掛かり部の側面部に設けられた滑り止め機構の例、（ｆ）は図４−３（ｅ）のＤ−Ｄ’線での断面に相当する部分断面図である。
【図５】本発明の缶蓋のタブの実施形態２における滑り止め機構の他の具体例を示す図であって、（ａ）は指掛かり部の側面部に設けられた滑り止め機構の例、（ｂ）は図５（ａ）のＥ−Ｅ’線での断面に相当する部分断面図である。
【図６】異なる開口方式の缶蓋について説明する図である。
【発明を実施するための形態】
【００１３】
以下に図面を参照しつつ、本発明の好適な実施の形態について説明する。ただし、以下に記載されている構成部品の寸法、材質、形状およびそれらの相対配置などは、本発明が適用される各種条件により適宜変更されるべきものである。よって、この発明の範囲を以下の記載に限定する趣旨のものではない。
【００１４】
［実施形態１］
＜全体構成＞
図１に基づいて、本実施形態における缶蓋のタブの構成を説明する。図１（ａ）は缶蓋全体の平面図であり、図１（ｂ）はタブの把持部の近傍を示す部分拡大平面図である。缶蓋１は、蓋体２にタブ３が固定された構成である。
【００１５】
（蓋体）
蓋体２は、基本的構成として、中央部に位置する円盤状のパネル部２１０と、パネル部２１０の周縁に環状溝２５１を介して上方に立ち上がるチャックウォール部２５２と、チャックウォール部２５２から外側に延びるカール部２５３を含む。カール部２５３及び缶本体（不図示）のフランジを巻き締めることで、密封性の高い缶詰が形成される。
【００１６】
パネル部２１０には、タブ３の引き上げにより破断するスコア２２０が刻設されて、缶
の開封時に開口となる舌状の開口予定領域２３０が規定される（図１（ａ）に点線で囲まれた領域として示す）。開口予定領域２３０のうち、後述するタブの固定部に比較的近傍にある開口開始位置２３１から、スコア２２０の破断が開始する。またリベット部２４０は、タブ３の固定部３１０を固定する。なお、本実施形態の蓋体２には、スコア２２０とタブ３を取り囲むように段差部２６０、後述のタブの指掛かり部と対応する位置にくぼみ部２７０が設けられる。
【００１７】
（タブ）
タブ３は、基本的構成として、固定部３１０、先端部３２０、把持部３３０、及び貫通孔３５０を備えるとともに、その縁部にはカール処理が施されて、その曲げ剛性が高められている。
また、タブ３の一部には、後述する滑り止め機構３６０が設けられている。固定部３１０が、蓋体２の開口開始位置２３１の近傍位置にリベット部２４０によって固定されることでタブ３と蓋体２が結合されて缶蓋１が形成される。なお近傍位置とは、把持部３３０を引き上げる力がタブ３の剛性に応じてスコア２２０を破断させることができる位置を意味する。
また、先端部３２０は、スコア２２０を越えて開口予定領域２３０に重なる位置まで突出しており、把持部３３０を引き起こす力を開口予定領域２３０に伝える。
【００１８】
一方、把持部３３０は、固定部３１０を介在させて先端部３２０とは反対側に延び、そして、固定部３１０の周囲の把持部３３０側は、タブ３の厚み方向に貫通し、リベット部２４０を半包囲するように、Ｕ字状または円弧状の湾曲孔３４０が設けられている。これにより、タブ３の引き起こしを容易にする。
また、タブ３の先端部３２０の反対側が指掛かり部３３１となり、便宜上、指掛かり部３３１の側面部に符号３３２を付して説明する。
また、図示したように、タブ３に貫通孔３５０が設けられている場合は、把持部３３０は略リング形状であり、指掛かり部３３１の側面部３３２は、リングの外周側側面部３３３と内周側側面部３３４が形成される。
【００１９】
なお、本明細書において「側面部」という用語は、タブ３の平面部分が広がりを持つ方向とは異なる方向における把持部３３０の領域を指す。したがって「側面部」とは、必ずしも側面における略垂直な領域のみに限定されない。後述する断面図に示すように、平面部分に接続するアール部分を含めて側面部と称しても構わない。
【００２０】
図２に基づいて、缶蓋１の構成をさらに説明する。図２（ａ）は缶蓋全体の断面図であり、図１（ａ）のＡ−Ａ’線での断面に相当する。図２（ｂ）は指掛かり部３３１を示す部分拡大断面図である。上述した通り本図では、指掛かり部３３１の外周側側面部３３３と内周側側面部３３４を合わせて側面部３３２と称する。
【００２１】
開封操作のとき、操作者は、指掛かり部３３１（外周側側面部３３３及び／または内周側側面部３３４）に指を掛けて把持部３３０を持ち上げる。その結果、リベット部２４０を支点として先端部３２０が押し下げられ、開口開始位置２３１からスコア２２０の破断が始まり、最終的には開口予定領域２３０に開口が形成される。
【００２２】
＜滑り止め機構＞
本実施形態の滑り止め機構３６０は、指掛かり部３３１の側面部３３２に設けられ、指とタブ３の間の摩擦力を大きくするための構成要素である。なお滑り止め機構３６０が設けられるのは側面部３３２の一部であっても良い。また、滑り止め機構３６０を側面部３３２以外の部分まで設けても良く、例えば把持部３３０全体やタブ３全体に滑り止め機構３６０を設けても構わない。また、図では滑り止め機構３６０を外周側側面部３３３と内
周側側面部３３４の両方に設けているが、いずれか一方に設けても良い。
【００２３】
このように、滑り止め機構３６０が設けられる位置は、機能上やデザイン上の要請に応じて変更可能である。これにより、製造者にとってはプロダクトデザインの幅を広げられる、操作者にとっては好みの開封方法を選択できるという利点がある。さらに、指掛かり部３３１の側面部３３２は、多数の缶蓋１を重ねて収納・運搬するときに、他の物体（例えば上に積み重ねられた他の缶蓋の底面）と接触する可能性が低い。したがって、側面部３３２に滑り止め機構３６０を設けることで、当該滑り止め機構３６０の剥離や摩耗を防止できる。さらに、側面部３３２に滑り止め機構３６０を設けた場合、積載時における他の物体を保護でき、特に、内周側側面部３３４に設けた場合はその効果が顕著である。
【００２４】
本実施形態の構成によれば、側面部３３２の滑り止め機構３６０によって、指と指掛かり部３３１との間の摩擦力が増加する。その結果、指掛かり性が向上するので、把持部３３０を引き起こす時の力の伝達性が向上し、より少ない力でイージーオープン缶を開封可能になる。
【００２５】
また、本発明において、指掛かり性向上の観点から、前述したように、タブ３の指掛かり部３３１に対応して蓋体２にくぼみ部２７０を設けたり、指掛かり部３３１を部分的に高くしたチップアップ部を設けてもよい。この場合、側面部３３２に設けられた滑り止め機構３６０により、必ずしも把持部３３０と蓋体２の間に指先や爪を入り込ませる必要がないので、チップアップ部の高さを通常より低くしたり、くぼみ部の深さを浅くしたりでき、その形状・寸法などを小型化することが可能となる。これにより、蓋体を重ね合わせるときの過度な接触防止、さらには収容効率を向上することもできる。
【００２６】
また、本実施形態の滑り止め機構３６０は、外部から容易に視認できる。したがって、把持部の裏側に滑り止めを設ける場合と比べて、操作者がどこに指を掛ければ良いのかを容易に判別できる。また、操作者が滑り止め機構３６０の外見に基づいて触感を予想しやすいことから、把持部を引き起こすときの力加減を調整しやすい。
【００２７】
なお、滑り止め機構３６０に着色してもよい。これにより、当該部分の視認性をさらに高められる。着色方法としては、塗料を用いる方法や、滑り止め機構３６０の材質を変える方法がある。
【００２８】
［実施形態２］
本実施形態の缶蓋のタブに設けられる滑り止め機構３６０は、図３に示すように、外周側側面部３３３に設けた凹凸形状３６１である。このように凹凸形状３６１を設けることで、指との間の摩擦抵抗が増加して引き起こし力の伝達性が向上する。その結果、より小さい力での開封が可能になる。凹凸のサイズにもよるが、本実施形態の缶蓋１のタブ３は、結露や水中保管などにより缶が濡れている状態でも、指との間の摩擦抵抗を十分に保てるという利点がある。ここでは図示しないが、内周側側面部３３４に、或いは外周側側面部３３３と内周側側面部３３４に凹凸形状３６１を設けても構わない。
【００２９】
（凹凸形状の具体例）
凹凸形状３６１の具体的な例として、図３（ａ）及び（ｂ）を参照して説明する。
図３（ａ）に示すように、指掛かり部３３１の側面部３３２の表面全体には、半球状の凸部３６２が所定の間隔を有して設けられている。また、本実施形態では、図３（ｂ）に示すように、凸部３６２は、外周側の側面部３３３に上段、中段、下段にそれぞれ設けられている。
以上の構成とすることで、指と指掛かり部３３１との間の摩擦力が増加させることができ、指掛かり性が向上するので、把持部３３０を引き起こす時の力の伝達性が向上し、よ
り少ない力でイージーオープン缶を開封可能になる。
なお、前述のように、タブ３の縁部はカール処理が施されていることから、外周側側面部３３３および内周側側面部３３４の端部間には若干の隙間が形成されている。
【００３０】
凹凸形状３６１を側面部３３２の表面に設ける方法としては、側面部３３２の表面形状自体を凹凸にする方法と、側面部３３２の表面に何らかの部材を付着させる方法がある。前者としては、ブラスト処理、ローレット加工、エンボス加工、クレープ加工、レーザー加工などの方法がある。後者としては、砥粒のようにある程度サイズが揃った粒子を、接着剤等を用いて表面に付着させたり、表面に埋め込んだりする方法がある。
【００３１】
そして、例えばブラスト加工、またはレーザー加工にて側面部３３２の表面に凹凸を形成した場合、凹凸形状３６１の表面粗さは、Ｒａは３．０〜４０μｍ、Ｒｚは１５〜２００μｍであると好適である。前記範囲における下限値を下回る場合、指との間の摩擦抵抗を十分に確保することが難しく、上限値を上回る場合、指に対する負荷が大きくなり開封作業時に痛みを伴う可能性がある。
なお、前記表面粗さの測定に用いた機器は、（株）東京精密サーフコム社製２０００ＳＤ３であり、測定条件はカットオフ０．８とした。
【００３２】
凹凸形状３６１の形成範囲を、側面部３３２の周方向長さの４０％以上、側面部３３２の厚さ方向長さの５０％以上（アール部含む）にすると、指との間の摩擦抵抗が増加して引き起こし力の伝達性がさらに向上する。
【００３３】
（他の具体例）
また、他の前述した凹凸形状３６１の具体例を、図４を参照して説明する。
図４−１（ａ）及び（ｂ）では、周方向に延びる２本の横溝が、外周側側面部３３３に形成された例を示している。これによれば、外周側側面部３３３の厚さ方向に、上段、中段、下段の凸部３６３が延設される。
また、図４−２（ｃ）及び（ｄ）では、外周側の側面部３３３の周方向に延びる１本の横溝に加え、外周側の側面部３３３の厚さ方向に延びる複数の縦溝が形成された例を示している。これによれば、外周側側面部３３３の周方向および厚さ方向に、上段、下段の略方形の凸部３６４が形成される。
さらに、図４−３（ｅ）及び（ｆ）では、外周側側面部３３３に、傾斜する複数の傾斜溝が形成された例を示している。また、前記傾斜溝は、外周側側面部３３３の周方向中心を基準として線対称となるよう形成されている。これによれば、外周側の側面部３３３に傾斜した凸部３６５を形成することができる。
以上のような構成とすることでも、指と指掛かり部３３１との間の摩擦力が増加させることができ、指掛かり性が向上する。なお、外周側の側面部３３３に形成される溝は、外周側側面部３３３の厚さ方向に傾斜、または直交して設けることが、指掛かり性の良い凸部を形成するために好適であると考えられる。
【００３４】
前述した凸部３６５を形成するために設けられる溝は、例えば、断続していてもよく、また直線状に限らず、円弧状、くの字状、あるいは波状などであってもよい。また、溝の深さは、側面部３３２（外周側側面部３３３、内周側側面部３３４）の厚みの１．５％以上であればよく、または、溝に代えて側面部３３２を貫通するスリットを形成してもよい。
【００３５】
［実施形態３］
本実施形態の缶蓋のタブを、図５（ａ）及び（ｂ）に基づいて説明する。
図５（ａ）及び（ｂ）の缶蓋のタブでは、周方向に延びる１本のスリットが、外周側の側面部３３３を貫通するように形成され、前記スリットにより区画された一方の部分（本
実施形態の場合は下段側）を押し込み加工することにより、外周側の側面部３３３の厚さ方向の中央に段差３６６を形成した例を示している。以上のような構成とすることでも、指と指掛かり部３３１との間の摩擦力を増加させることができ、指掛かり性が向上する。この場合、押し込み加工により形成される段差３６６の端部には、丸め加工等を施して、指掛かり性を調整すると好適である。
なお、段差に加えて、図５（ａ）に示すように、外周側側面部３３３の厚さ方向にもスリットを設けてもよい。これにより指掛かり性がさらに向上する。
【００３６】
なお、上記各実施形態に係るどのような滑り止め機構３６０を用いるかは、タブのサイズや材質、把持部３３０の形状、想定される開封方法に応じて目標とする摩擦力が得られるように、任意に選択できる。また、外周側側面部３３３と内周側側面部３３４で異なる表面処理をするなど、部位ごとに異なる加工方法を用いてもよい。
【００３７】
［実施形態４］
本実施形態の缶蓋のタブでは、滑り止め機構３６０の具体的な例として、側面部３３２の表面に滑り止め材料を塗布する場合について説明する。このように滑り止め材料を塗布することで、指との間の摩擦抵抗が増加して引き起こし力の伝達性が向上する。その結果、より小さい力での開封が可能になる。滑り止め材料としては例えば、樹脂塗膜やゴム塗膜が考えられる。
【００３８】
本実施形態でも、どのような滑り止め機構３６０を用いるかは、タブのサイズや材質、把持部３３０の形状、想定される開封方法に応じて目標とする摩擦力が得られるように、製造者が任意に選択できる。また部位ごとに異なる加工方法を用いてもよい。さらに、部位ごとに、凹凸形状３６１の形成と滑り止め材料の塗布を組み合わせてもよい。
【００３９】
滑り止め材料の形成範囲は、側面部３３２の周方向長さの４０％以上、側面部３３２の厚さ方向長さの５０％以上（アール部含む）とすると、指との間の摩擦抵抗が上がって引き起こし力の伝達性がさらに向上する。
【００４０】
なお、前述した本発明の各実施形態では、蓋体２の一部分だけが開口する、いわゆるパーシャルオープン型の缶蓋１について説明したが、フルオープン型の缶蓋１にも適用できる。
【００４１】
図６に示すように、フルオープン型の缶蓋１は、タブ３は固定部３１０、先端部３２０、把持部３３０を有し、把持部３３０の後端に指掛かり部３３１が形成される。また蓋体２には、開口予定領域２３０（点線で図示する）を規定するスコア２２０が刻設される。さらに、蓋体２とタブ３は、固定部３１０とリベット部２４０により固定され、固定部３１０の近傍の開口開始位置２３１からスコア破断が開始する。
【００４２】
そして、指掛かり部３３１の側面部３３２に滑り止め機構３６０が設けられる。また、把持部３３０に貫通孔３５０を設ける場合は、外周側側面部３３３と内周側側面部３３４の一方、または両方に滑り止め機構３６０が設けられる。このような構成により、本発明の滑り止め効果はフルオープン型の缶においても発揮される。特に、図４に示したように貫通孔３５０が比較的大きい形状のフルオープン缶の場合は、孔の内側に指を掛けて開封する操作者が多いと考えられるので、内周側側面部３３４に滑り止め機構３６０を設ける意味が大きい。
【符号の説明】
【００４３】
１：缶蓋、
２：蓋体、２１０：パネル部、２２０：スコア、２３０：開口予定領域、２３１：開口
開始位置、２４０：リベット部
３：タブ、３１０：固定部、３２０：先端部、３３０：把持部、３３１：指掛かり部、３３２：側面部、３３３：外周側側面部、３３４：内周側側面部、３６０：滑り止め機構、３６１：凹凸形状、３６２、３６３、３６４、３６５：凸部、３６６：段差
【図１】
2017214103.tif 000003
【図２】
2017214103.tif 000004
【図３】
2017214103.tif 000005
【図４−１】
2017214103.tif 000006
【図４−２】
2017214103.tif 000007
【図４−３】
2017214103.tif 000008
【図５】
2017214103.tif 000009
【図６】
2017214103.tif 000010